(57)【要約】【課題】  左右方向の任意位置への施錠装置の取付作業及び移動作業の容易化を図る。【解決手段】  ロック機構１０の基体１５に座板の係合溝部に係合する係合片１６を設け、座板の下ガイド片に後側から当接する挟持部１７を基体１５の下部左右に設け、挟持部１７には、長穴１９及び傾斜穴２０を形成し、前記下ガイド片に前側から当接する挟持片３０を基体１５と別設し、挟持部１７に形成された前記穴を通る左右の連結部材２１，２２により挟持部１７と挟持片３０とを連結し、連結部材２１，２２を長穴１９，１９内に位置させると、係合片１６を前記係合溝部に係合させた状態で挟持片３０が前記下ガイド片の上側を通過可能となり、挟持片３０を該下ガイド片の前側へ移動させた状態で連結部材２１，２２を傾斜穴２０，２０に落とすことにより、挟持片３０が前記下ガイド片を挟持できる位置へ下降する。【選択図】        図４
2006089957.tif 000002
【特許請求の範囲】
【請求項１】
上下方向に多数のスラットを連接して巻き取り可能としてなるシャッターカーテンの下端の座板とシャッター下枠との間の施錠装置を構成する、前記座板に取り付けられるロック機構及び該ロック機構のロック部材と係合する受ピンを有する前記下枠に取り付けられるロック受具を、左右方向の任意位置に取り付け可能としてなるシャッターであって、
前記座板を屋内側（後側）に開放した断面略コ字状に形成すると共に、その上水平部から垂下して左右方向に延びるリブ状の上ガイド片、及び、該座板の下水平部から立起して左右方向に延びるリブ状の下ガイド片を形成し、
前記ロック機構の基体の上部に、前記座板の垂直部と前記上ガイド片との間の係合溝部に係合する係合片を設け、
前記下ガイド片に後側から当接する挟持部を前記ロック機構の基体の下部左右に設け、
該左右の挟持部には、略左右方向に延びる左右の長穴、及び、該両長穴の左端から左下方に傾斜する傾斜穴又は該両長穴の右端から右下方に傾斜する傾斜穴を形成し、
前記下ガイド片に前側から当接する、左右方向を長手方向としてなる板状又は棒状の挟持片を前記ロック機構の基体と別設し、
前記左右の挟持部に形成された穴を通る左右の連結部材により前記挟持部と前記挟持片とを連結し、
前記左右の連結部材を前記挟持部の左右の長穴内に位置させると、前記ロック機構の係合片を前記座板の係合溝部に係合させた状態で、前記挟持片が前記下ガイド片の上側を通過可能となり、
前記ロック機構の挟持片を該下ガイド片の屋内側（後側）から屋外側（前側）へ移動させた状態で、前記左右の連結部材を前記挟持部の左右の傾斜穴に落とすことにより、前記挟持片が前記下ガイド片を挟持できる位置へ下降し、該挟持部及び挟持片により前記下ガイド片を挟持して前記ロック機構を前記座板に固定してなることを特徴とするシャッター。
【請求項２】
前記連結部材が係合する係合凹部を前記左右の長穴の少なくともどちらかに設けてなる請求項１記載のシャッター。
【請求項３】
前記シャッター下枠に、前記ロック受具の左右方向への移動をガイドすると共に上方への移動を規制する、前記ロック受具下部の略水平状下部板の前部が係合する前鉤状片及び該下部板の後部から立起する略垂直状後部板の上部が係合する後鉤状片を設け、
該下部板に螺合してなる取付ネジにより、該ロック受具を前記下枠の左右方向の任意位置に取り付け可能としてなると共に、該取付ネジのネジ先を略球面としてなる請求項１記載のシャッター。
【請求項４】
前記後鉤状片に係合する前記後部板の上面に上方への凸部を形成してなる請求項３記載のシャッター。
【発明の詳細な説明】
【技術分野】
【０００１】
本発明は、家庭用の雨戸等に利用されるシャッターに係わり、更に詳しくは、スラットを連接して巻き取り可能としてなるシャッターカーテンの座板側のロック機構及びシャッター下枠側のロック受具を、左右方向の任意位置に取り付け可能としてなるシャッターの改良に関するものである。
【背景技術】
【０００２】
防犯、風雨避け及び省エネルギー等の目的で建物外壁の開口部にサッシと共に設置するシャッターとして、シャッターカーテンを上下方向に多数のスラットを連接した巻き取り可能な構成とし、前記サッシの屋外上側に設けられたシャッターケース内の巻上ドラムに前記シャッターカーテンを巻装しておき、前記サッシの屋外左右に設けられたガイドレールにより前記シャッターカーテンの左右両側部をガイドしながら前記シャッターカーテンを引き下げて前記サッシの全体を覆う構成のものがある。このような構成のシャッターは、戸袋を無くすことができること等の特長があることから、広く使用されている。
【０００３】
このような構成のシャッターにおいて、前記シャッターカーテン（シャッター板）を引き下げた閉鎖位置で、該シャッターカーテンの下端の座板（端板部）と前記シャッター下枠との間の施錠装置を構成する、前記座板側においてロック部材（ロック片）を有するロック機構（ロック装置）及び前記下枠側において該ロック部材と係合する受ピンを有するロック受具（ロック受部）を、左右方向の任意位置に取り付け可能としてなるものがある（例えば、特許文献１及び特許文献２参照。）。
【０００４】
【特許文献１】特許第３０７９０３７号公報（図１−４）
【特許文献２】特開２００１−３１１３４１号公報（図２−６）
【発明の開示】
【発明が解決しようとする課題】
【０００５】
このような従来の施錠装置を左右方向の任意位置に取り付け可能としてなるシャッターは、前記施錠装置を左右方向の任意位置に取り付け可能として操作しやすい位置に移動させることにより、操作性を向上することができるという特長を有するものである。しかし、施錠装置の取付作業及び移動作業の容易化の観点からは、改良の余地があるものである。
【０００６】
例えば、特許文献１のシャッターの構成は、座板（端板部）に形成された上下のガイド溝間にわたる裏当板と施錠装置を構成するロック機構のベース板に形成された支持片とをネジ止めする構成であるため、前記ロック機構の取付作業時には、前記座板の左右端から前記裏当板を前記上下のガイド溝内に挿入して、上下の長さが比較的長い前記裏当板を前記上下のガイド溝に沿わせた状態で所望の取付位置までスライドさせる必要がある。
【０００７】
したがって、上下の長さが比較的長い前記裏当板を前記上下のガイド溝に沿わせた状態でスライドさせる距離が長いこと、及び、該スライド時において比較的上下の長さが長い前記裏当板が前記上下のガイド溝と引っ掛かる場合があること等から、前記ロック機構の取付作業の容易化について改良の余地があるものである。同様に、前記ロック機構の移動時にも、前記ネジを緩めた状態で前記裏当板を所望の取付位置まで左右方向にスライドさせる必要があるため、前記ロック機構の移動作業の容易化についても改良の余地があるものである。
【０００８】
また、特許文献２のシャッターの構成は、座板（端板部）の左右方向に延びる上下のガイド溝間にわたる縦長の裏当板と施錠装置を構成するロック機構（ロック装置）のベース板に形成された当接板部とをネジ止めする構成は特許文献１の構成と同様であるが、該裏当板の少なくとも一方の対角に、前記上下のガイド溝内での前記ネジ軸まわりの回動を許容するための回動可能部を形成してなり、前記ロック機構の取付作業時には前記裏当板を回動させて該裏当板を横の状態としておくことにより、所望の取付位置において前記ロック機構を前記座板に直接取り付けることを可能としたものである。
【０００９】
ここで、前記裏当板の一方の対角に前記回動可能部を形成してなる場合には、前記ネジの締付作業時に該回動可能部が形成されていない対角が前記上下のガイド溝に当接することにより該裏当板の回動が規制されるものである。したがって、前記ネジを強固に締め付けると、アルミニウムの押出加工等により成形されてなる前記座板の前記上下のガイド溝と前記裏当板との当接部が変形して前記ロック機構の取り外しが容易でなくなる場合があり、よって前記ロック機構の移動作業が容易ではなくなる場合があるものである。
【００１０】
また、前記裏当板の両方の対角に前記回動可能部を形成してなる場合には、前記ネジの締付作業時に前記裏当板の回動を規制するように保持しておく必要があるため、前記ロック機構の取付作業の容易化について改良の余地があるものである。
【００１１】
さらに、前記ロック機構のベース板の一側部に形成された上下の係止爪部を前記上下のガイド溝に係合させる構成であるため、該ロック機構の取付作業及び移動作業時には、該係止爪部を前記上下のガイド溝に係合させる作業又は該係合を解除する作業が必要になるため、前記ロック機構の取付作業及び移動作業の容易化について改良の余地があるものである。
【００１２】
本発明は、前記のような問題点を解決するためになされたものであり、左右方向の任意位置への施錠装置の取付作業及び移動作業の容易化を図ることができるシャッターを得ることを目的とする。
【課題を解決するための手段】
【００１３】
本発明に係るシャッターは、上下方向に多数のスラットを連接して巻き取り可能としてなるシャッターカーテンの下端の座板とシャッター下枠との間の施錠装置を構成する、前記座板に取り付けられるロック機構及び該ロック機構のロック部材と係合する受ピンを有する前記下枠に取り付けられるロック受具を、左右方向の任意位置に取り付け可能としてなるシャッターであって、前記座板を屋内側（後側）に開放した断面略コ字状に形成すると共に、その上水平部から垂下して左右方向に延びるリブ状の上ガイド片、及び、該座板の下水平部から立起して左右方向に延びるリブ状の下ガイド片を形成し、前記ロック機構の基体の上部に、前記座板の垂直部と前記上ガイド片との間の係合溝部に係合する係合片を設け、前記下ガイド片に後側から当接する挟持部を前記ロック機構の基体の下部左右に設け、該左右の挟持部には、略左右方向に延びる左右の長穴、及び、該両長穴の左端から左下方に傾斜する傾斜穴又は該両長穴の右端から右下方に傾斜する傾斜穴を形成し、前記下ガイド片に前側から当接する、左右方向を長手方向としてなる板状又は棒状の挟持片を前記ロック機構の基体と別設し、前記左右の挟持部に形成された穴を通る左右の連結部材により前記挟持部と前記挟持片とを連結し、前記左右の連結部材を前記挟持部の左右の長穴内に位置させると、前記ロック機構の係合片を前記座板の係合溝部に係合させた状態で、前記挟持片が前記下ガイド片の上側を通過可能となり、前記ロック機構の挟持片を該下ガイド片の屋内側（後側）から屋外側（前側）へ移動させた状態で、前記左右の連結部材を前記挟持部の左右の傾斜穴に落とすことにより、前記挟持片が前記下ガイド片を挟持できる位置へ下降し、該挟持部及び挟持片により前記下ガイド片を挟持して前記ロック機構を前記座板に固定してなるものである。
【００１４】
ここで、前記連結部材が係合する係合凹部を前記左右の長穴の少なくともどちらかに設けてなると好ましい。
【００１５】
また、前記シャッター下枠に、前記ロック受具の左右方向への移動をガイドすると共に上方への移動を規制する、前記ロック受具下部の略水平状下部板の前部が係合する前鉤状片及び該下部板の後部から立起する略垂直状後部板の上部が係合する後鉤状片を設け、該下部板に螺合してなる取付ネジにより、該ロック受具を前記下枠の左右方向の任意位置に取り付け可能としてなると共に、該取付ネジのネジ先を略球面としてなると好ましい。
【００１６】
さらに、前記後鉤状片に係合する前記後部板の上面に上方への凸部を形成してなると好ましい。
【発明の効果】
【００１７】
本発明に係るシャッターによれば、上下方向に多数のスラットを連接して巻き取り可能としてなるシャッターカーテンの下端の座板とシャッター下枠との間の施錠装置を構成する、前記座板に取り付けられるロック機構及び該ロック機構のロック部材と係合する受ピンを有する前記下枠に取り付けられるロック受具を、左右方向の任意位置に取り付け可能としてなるシャッターであって、前記座板を屋内側（後側）に開放した断面略コ字状に形成すると共に、その上水平部から垂下して左右方向に延びるリブ状の上ガイド片、及び、該座板の下水平部から立起して左右方向に延びるリブ状の下ガイド片を形成し、前記ロック機構の基体の上部に、前記座板の垂直部と前記上ガイド片との間の係合溝部に係合する係合片を設け、前記下ガイド片に後側から当接する挟持部を前記ロック機構の基体の下部左右に設け、該左右の挟持部には、略左右方向に延びる左右の長穴、及び、該両長穴の左端から左下方に傾斜する傾斜穴又は該両長穴の右端から右下方に傾斜する傾斜穴を形成し、前記下ガイド片に前側から当接する、左右方向を長手方向としてなる板状又は棒状の挟持片を前記ロック機構の基体と別設し、前記左右の挟持部に形成された穴を通る左右の連結部材により前記挟持部と前記挟持片とを連結し、前記左右の連結部材を前記挟持部の左右の長穴内に位置させると、前記ロック機構の係合片を前記座板の係合溝部に係合させた状態で、前記挟持片が前記下ガイド片の上側を通過可能となり、前記ロック機構の挟持片を該下ガイド片の屋内側（後側）から屋外側（前側）へ移動させた状態で、前記左右の連結部材を前記挟持部の左右の傾斜穴に落とすことにより、前記挟持片が前記下ガイド片を挟持できる位置へ下降し、該挟持部及び挟持片により前記下ガイド片を挟持して前記ロック機構を前記座板に固定してなるので、前記下ガイド片を前記挟持部及び挟持片により挟持する簡素な構成により前記ロック機構を固定するため、施錠装置を構成する前記ロック機構の取付作業及び移動作業を容易に行うことができる。また、前記ロック機構のベース板の上部に前記係合溝部に係合する係合片を設けているため、前記ロック機構を前記座板に強固に取り付けることができる。
【００１８】
また、前記連結部材が係合する係合凹部を前記左右の長穴の少なくともどちらかに設けてなると、前記連結部材の前記長穴から前記傾斜穴への不意の移動を規制することができるため、施錠装置を構成するロック機構の取付作業及び移動作業をさらに容易に行うことができる。
【００１９】
さらに、前記シャッター下枠に、前記ロック受具の左右方向への移動をガイドすると共に上方への移動を規制する、前記ロック受具下部の略水平状下部板の前部が係合する前鉤状片及び該下部板の後部から立起する略垂直状後部板の上部が係合する後鉤状片を設け、該下部板に螺合してなる取付ネジにより、該ロック受具を前記下枠の左右方向の任意位置に取り付け可能としてなると共に、該取付ネジのネジ先を略球面としてなると、施錠装置を構成するロック受具の取付作業及び移動作業を容易に行うことができる。また、アルミニウムの押出加工等により成形されてなるシャッター下枠の該取付ネジの当接面の痕を目立たなくすることができる。さらに、該当接面の塗膜が剥がれることがないと共に該当接面の痕にバリ又はかえり状の突出部が形成されることがないため、前記ロック受具の移動作業をさらに容易に行うことができる。
【００２０】
さらにまた、前記後鉤状片に係合する前記後部板の上面に凸部を形成してなると、前記ロック受具の後部板の上面と前記後鉤状片との当接部の応力が増大した状態で前記ロック受具と前記後鉤状片とが接触するため、前記ロック受具の前記シャッター下枠への固定をより確実かつ強固に行うことができる。
【発明を実施するための最良の形態】
【００２１】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、屋内側から屋外側へ向かう方向の前側を前、後側側を後とし、前方から後方に向かって左右を左右とする。また、前方から見た図を正面図とする。
【００２２】
図１は、本発明の実施の形態に係るシャッターを示す正面図である。図２〜図４は、施錠装置の構成を示す説明図であり、図２は右側断面図、図３は分解斜視図、図４はロック機構の挟持部と挟持片の取付構造を示す斜視図である。図５は座板へのロック機構の取付作業及び移動作業時における挟持片の高さ位置の変更動作を示す正面図であり、図５（ａ）は挟持片の高さ位置が高い状態を、図５（ｂ）は挟持片の高さ位置が低い状態を示している。図６は、座板へのロック機構の取付作業及びシャッター下枠へのロック受具の取付作業の説明図である。図７は施錠装置の施錠動作の説明図であり、図７（ａ）は解錠状態を、図７（ｂ）は施錠状態を示している。
【００２３】
図１に示すように、防犯、風雨避け及び省エネルギー等の目的で建物外壁の開口部に設置されるシャッター１は、引き違いサッシＳが取り付けられた前記開口部の屋外上側に設置されるシャッターケース２、該シャッターケース２内の図示しない巻上ドラム、該巻上ドラムに巻装され、該巻上ドラムからの引き出し及び該巻上ドラムによる巻き取りが可能なシャッターカーテン３、前記開口部の左右両側に配設される縦枠４，５、該両縦枠４，５の下端間に架設される下枠６等により構成される。
【００２４】
シャッターカーテン３は、鋼板若しくはアルミニウム板のロール成形又はアルミニウムの押出成形等により形成されるスラット７・・・及び最下部の座板８を連接した構成とされ、前記巻上ドラムからの引き出し又は前記巻上ドラムによる巻き取りによって、前記開口を閉鎖又は開放することができる。また、前記両縦枠４，５の左右方向の内側には図示しないガイドレールが形成されており、該ガイドレールによりシャッターカーテン３の左右両側部が上下方向にガイドされる。さらに、該ガイドレールに沿わせてシャッターカーテン３を前記巻上ドラムから引き出し、シャッターカーテン３を最下位置まで引き下げた閉鎖位置において、座板８及び下枠６間の施錠・解錠を行う施錠装置９が設けられている。そして、図２に示すように、施錠装置９は、座板８に取り付けられ、ロック部材２３を有するロック機構１０、及び、下枠６に取り付けられ、ロック部材２３に係合する受ピン３１を有するロック受具１１により構成される。
【００２５】
図２に示すように、シャッターカーテン３の最下部の座板８は、屋内側（後側）に開放した断面略コ字状に形成されており、その上水平部８ａには、該上水平部８ａから垂下して左右方向に延びるリブ状の上ガイド片１２、及び、座板８の下水平部８ｂには、該下水平部８ｂから立起して左右方向に延びるリブ状の下ガイド片１３が形成されている。
【００２６】
図２〜図４及び図６に示すように、ロック機構１０の基体であるベース板１５の上部には、座板８の垂直部８ｃと上ガイド片１２との間の係合溝部１４（図２及び図６参照。）に係合する係合片１６が設けられている。また、該ベース板１５の下部には、下ガイド片１３に後側から当接する左右の挟持部１７，１７が設けられている。
【００２７】
該左右の挟持部１７，１７には、略左右方向に延びる左右の長穴１９，１９、及び、該両長穴１９，１９の左端から左下方に傾斜する左右の略平行な傾斜穴２０，２０が形成されている。なお、該傾斜穴は、長穴１９，１９の右端から右下方に傾斜する左右の略平行な傾斜穴であってもよい。また、挟持片３０は、挟持部１７，１７と略平行に配設され、左右方向を長手方向としてなる板状又は棒状のものである。そして、左右の挟持部１７，１７と挟持片３０とは、左右の挟持部１７，１７に形成された穴１９，１９又は２０，２０を通る左右の連結部材２１，２２により連結されている。例えば、連結部材２１はリベットであり、連結部材２２は取付ネジとされるが、連結部材２１及び２２を共に、取付ネジとしてもよい。だだし、該左右の連結部材の一方をリベットとして他方を取付ネジとした方が、該取付ネジ一本の緊緩によりロック機構１０の固定及び移動を容易に行うことができるため、より好ましい構成であるといえる。
【００２８】
このようにして、ロック機構１０の挟持部１７，１７を下ガイド片１３の後側から当接させると共に、挟持片３０を下ガイド片１３の前側から当接させ、挟持部１７，１７及び挟持片３０により下ガイド片１３を挟持することにより、ロック機構１０は座板８の左右方向（図６の矢印Ａ参照。）の所望位置に固定される。
【００２９】
なお、図２〜図４に示すように、下ガイド片１３に後側から当接する左右の挟持部１７，１７と、下ガイド片１３に前側から当接する挟持片３０とは、連結部材２１，２２により下ガイド片１３の上側で連結される。そして、挟持片３０には、連結部材２１，２２の上側における挟持部１７，１７及び挟持片３０間のスペーサー３０ａ，３０ｂが一体に形成されている。また、該スペーサー３０ａ，３０ｂの厚さ（挟持片３０からの突出量）は、下ガイド片１３の厚さと略同一になるように設定されている。したがって、該スペーサー３０ａ，３０ｂにより、図２に示すように、取付ネジである連結部材２２を締め付けても、挟持部１７，１７の前面及び挟持片３０の後面が、それぞれ下ガイド片１３の後面及び前面に確実に当接した状態が保たれるため、ロック機構１０を座板８に強固に固定することができると共に該固定の長期にわたる信頼性を向上することができる。
【００３０】
次に、図５及び図６により、座板８へのロック機構１０の取付方法について説明する。前記のとおり、ロック機構１０のベース板１５の挟持部１７，１７には、長穴１９，１９及び傾斜穴２０，２０が形成されている。挟持片３０は、図５（ａ）のように連結部材２１，２２が長穴１９，１９内に位置して傾斜穴２０，２０内に落ちていない場合には、高さ位置が高い状態となり、図５（ｂ）のように連結部材２１，２２が傾斜穴２０，２０内に落ちている場合には、高さ位置が低い状態となる。このように、挟持片３０の高低は容易に変更することができる。ここで、前記挟持片３０の高さ位置が高い状態では、ロック機構１０の係合片１６，１６を座板８の係合溝部１４に係合させた状態で、挟持片３０が下ガイド片１３の上側を通過可能となっている。また、前記挟持片３０の高さ位置が低い状態では、挟持部１７，１７と挟持片３０とにより下ガイド片１３を挟持可能となっている。
【００３１】
また、取付ネジである連結部材２２側の長穴１９には、該連結部材２２が係合する係合凹部１９ａが形成されているため、連結部材２１，２２の長穴１９，１９から傾斜穴２０，２０への不意の移動を規制することができる。なお、このような係合凹部は、左右の長穴１９，１９の少なくともどちらかに設ければよい。
【００３２】
図６に示すように、連結部材２１，２２が長穴１９，１９内に位置して傾斜穴２０，２０内に落ちていない状態としてなるロック機構１０の係合片１６，１６を、座板８の係合溝部１４に係合させる。あるいは、ロック機構１０の係合片１６，１６を、座板８の係合溝部１４に係合させた後に、連結部材２１，２２を長穴１９，１９内に位置させてもよい。この状態では、前記のとおり挟持片３０が下ガイド片１３の上側を通過可能となっている。したがって、ロック機構１０の挟持片１７，１７を下ガイド片１３の屋内側（後側）から屋外側（前側）へ移動させると、挟持片１７，１７の前面が下ガイド片１３の後面に当接する。この状態で、連結部材２１，２２を傾斜穴２０，２０に落とすことにより、前記のとおり挟持片３０が下ガイド片１３を挟持できる位置へ下降するため、取付ネジである連結部材２２を締め付けることにより、ロック機構１０を座板８の左右方向（図６の矢印Ａ参照。）の所望位置に容易に固定することができる。
【００３３】
なお、該固定状態では、ロック機構１０上部の係合片１６，１６が座板８の係合溝部１４に係合していると共に、ロック機構１０下部の挟持部１７，１７及び挟持片３０により、座板８の下ガイド片１３とが固定されているため、ロック機構１０と座板８とが、より強固に取り付けられている。また、前記のようなロック機構１０の座板８への取付作業と逆の手順により、ロック機構１０を座板８から容易に取り外すことができる。したがって、ロック機構１０の座板８の左右方向への移動作業も容易に行うことができる。
【００３４】
次に、図２、図３及び図６により、ロック受具１１の構成及びシャッター下枠６へのロック受具１１の取付作業について説明する。シャッター下枠６は、アルミニウムの押出成形等により形成され、ロック受具１１の左右方向への移動をガイドすると共に上方への移動を規制する、前鉤状片３６及び後鉤状片３７が設けられている。また、ロック受具１１は、ロック機構１０のロック部材２３に係合する受ピン３１及び受ベース３２により構成され、ロック受具１１下部の略水平状下部板３４の前部がシャッター下枠６の前鉤状片３６に係合し、略水平状下部板３４の後部から立起する略垂直状後部板３５の上部がシャッター下枠６の後鉤状片３７に係合する。
【００３５】
前記下部板３４の前部の前鉤状片３６への係合及び前記後部板３５の上部の後鉤状片３７への係合は、シャッター下枠６の左側又は右側からロック受具１１をシャッター下枠側へ移動させることにより行うことができる。このようにして、ロック受具１１の下部板３４の前部をシャッター下枠６の前鉤状片３６に係合させ、後部板３５の上部をシャッター下枠６の後鉤状片３７に係合させた状態で、下部板３４に螺合する取付ネジ３８の下部板３４下面からの突出量が大きくなる方向へ該取付ネジ３８を回すと、前鉤状片３６の下面と該前鉤状片３６に係合している下部板３４前部の上面とが当接して押圧されると共に、後鉤状片３７の下面と該後鉤状片３７に係合している後部板３５の上面とが当接して押圧される。したがって、シャッター下枠６の左右方向（図６の矢印Ｂ参照。）の所望位置において、ロック受具１１はシャッター下枠６に固定される。
【００３６】
ここで、取付ネジ３８のネジ先３８ａは、図２に示すように略球面に形成されている。したがって、アルミニウムの押出加工等により成形されてなるシャッター下枠６の該取付ネジ３８の当接面の痕を目立たなくすることができる。また、該当接面の塗膜が剥がれることがないと共に該当接面の痕にバリ又はかえり状の突出部が形成されることがないため、ロック受具１１の移動作業が容易になる。
【００３７】
また、ロック受具１１の後部板３５の、後鉤状片３７に係合する上面３５ａ，３５ａの形状は、図３及び図６に示すように正面視略波形に形成されている。そして、特に、上面３５ａ，３５ａの中央部の凸部が他の部分よりも若干高くなるように形成されている。したがって、前記のように取付ネジ３８を下部板３４下面からの突出量が大きくなる方向へ回して、ロック受具１１の後部板３５の上面３５ａ，３５ａがシャッター下枠６の後鉤状片３７の下面に当接して押圧される場合において、該当接部の応力が増大した状態でロック受具１１と後鉤状片３７とが接触するため、ロック受具１１のシャッター下枠６への固定をより確実かつ強固に行うことができる。
【００３８】
さらに、ロック機構１０のロック部材２３と係合するロック受具１１の受ピン３１の支持構造は、図２、図３及び図６に示すように、受ピン３１の両端を支持片３３，３３により支持する両持構造とされている。したがって、受ピン３１の一端を支持する片持構造に比べ、受ピン３１の支持構造の剛性及び強度が向上するため、施錠装置の施錠・解錠動作の安定性・確実性が向上し、長期にわたり該動作の信頼性を向上することができる。
【００３９】
次に、ロック機構１０のロック部材２３等の構成について説明する。図３及び図４に示すように、ロック部材２３は、支軸２４により前後方向軸まわりに回動可能とされて、ロック機構１０の基体であるベース板１５により支持されており、押上片２３ａ、ロック片２３ｂ、係止部２３ｃ及びバネ掛部２３ｄが形成されている。また、係止片２５は、支軸２６により前後方向軸まわりに回動可能とされて、ロック機構１０のベース板１５により支持されており、該支軸を挟む左右位置に、解除ボタン支持部２５ａ及びバネ掛部２５ｂが形成されている。該解除ボタン支持部２５ａには、解除ボタン２７が前後方向の支軸２８により連結されており、該解除ボタン２７の被ガイド部２７ａは、ロック機構１０のベース板１５に形成されたガイド穴１８によりガイドされる。そして、前記バネ掛部２３ｄ及び２５ｂ間には引張コイルバネ２９が掛架されているため、前記バネ掛部２３ｄ及び２５ｂ間には、該バネ掛部２３ｄ及び２５ｂ間の距離を狭める方向に弾性付勢力が作用している。
【００４０】
以上のように、ロック機構１０は、その基体であるベース板１５を折り曲げ形成してなる空間内にロック部材２３、係止片２５及び解除ボタン２７等を組み込んでおり、コンパクトかつ簡素な構成となっている。また、該ロック部材２３等の機構部品が、ベース板１５及び座板８により覆われるため、該機構部品を保護することができる。
【００４１】
次に、施錠装置の施錠・解錠動作について説明する。前記シャッターカーテン３を前記巻上ドラムから引き出し、該シャッターカーテン３を最下位置まで引き下げると、図７（ａ）から図７（ｂ）のように、ロック受具１１の受ピン３１によりロック部材２３の押上片２３ａが押し上げられ、該ロック部材２３が支軸２４まわりに回動してロック片２３ｂが受ピン３１の下側に位置すると共に、該ロック部材２３の係止部２３ｃと係止片２５が当接する（図７（ｂ）参照。）。この状態では、係止片２５がロック部材２３の前記回動と逆方向の回動を規制するため、ロック受具１１の受ピン３１の下側にロック機構１０のロック片２３ｂが位置する状態が保持されるため、施錠状態となる。この施錠状態において、解除ボタン２７を押し下げると、前記ロック部材２３の係止部２３ｃと係止片２５との係止状態が解除され、前記引張コイルバネ２９の付勢力により、該ロック部材が支軸２４のまわりに、前記施錠時の回動と逆方向に回動してロック受具１１の受ピン３１がロック機構１０から離れることができる解錠状態となる（図７（ａ）参照。）。このような簡素な構成により、施錠装置の施錠・解錠動作を容易かつ確実に行うことができる。
【図面の簡単な説明】
【００４２】
【図１】本発明の実施の形態に係るシャッターを示す正面図である。
【図２】施錠装置の構成を示す右側断面図である。
【図３】同じく分解斜視図である。
【図４】ロック機構の挟持部と挟持片の取付構造を示す斜視図である。
【図５】挟持片の高さ位置の変更動作を示す正面図であり、（ａ）は挟持片の高さ位置が高い状態を、（ｂ）は挟持片の高さ位置が低い状態を示している。
【図６】座板へのロック機構の取付方法及びシャッター下枠へのロック受具の取付方法の説明図である。
【図７】施錠装置の施錠動作の説明図であり、（ａ）は解錠状態を、（ｂ）は施錠状態を示している。
【符号の説明】
【００４３】
１  シャッター
３  シャッターカーテン
６  シャッター下枠
７  スラット
８  座板
８ａ  上水平部
８ｂ  下水平部
８ｃ  垂直部
９  施錠装置
１０  ロック機構
１１  ロック受具
１２  上ガイド片
１３  下ガイド片
１４  係合溝部
１５  ベース板（基体）
１６  係合片
１７  挟持部
１９  左右方向に延びる長穴
１９ａ  係合凹部
２０  傾斜穴
２１，２２  連結部材
２３  ロック部材
３０  挟持片
３０ａ，３０ｂ  スペーサー
３１  受ピン
３２  受ベース
３３  支持片
３４  下部板
３５  後部板
３５ａ  上面
３６  前鉤状片
３７  後鉤状片
３８  取付ネジ
３８ａ  ネジ先
【図１】
2006089957.tif 000003
【図２】
2006089957.tif 000004
【図３】
2006089957.tif 000005
【図４】
2006089957.tif 000006
【図５】
2006089957.tif 000007
【図６】
2006089957.tif 000008
【図７】
2006089957.tif 000009